(57)【要約】【課題】カットアウトの接続端子に対し事故点探査装置を電気接続するための課電端子を容易に接続できるカットアウト接続器具を提供する。【解決手段】箱型カットアウト１の本体１０内に配置された一対の端子挿込口１２ａ，１３ａに挿し込まれる一対の課電端子２０１，２０２を保持する端子保持部４０と、箱型カットアウト１を介して事故点を探査する事故点探査装置の装置本体を箱型カットアウト１に電気接続すべく、一対の課電端子２０１，２０２に電気接続される電気配線部２４を取付ける電気配線取付部４１と、端子保持部４０を、一対の課電端子２０１，２０２が一対の端子挿込口１２ａ，１３ａに挿し込まれる挿込方向へ移動させる移動機構部４２とを備える。【選択図】図１
2020018086.tif 000002
【特許請求の範囲】
【請求項１】
箱型カットアウトの本体内に配置された一対の端子挿込口に挿し込まれる一対の課電端子を保持する端子保持部と、前記箱型カットアウトを介して事故点を探査する事故点探査装置の装置本体を前記箱型カットアウトに電気接続すべく、前記一対の課電端子に電気接続される電気配線部を取付ける電気配線取付部と、前記端子保持部を、前記一対の課電端子が前記一対の端子挿込口に挿し込まれる挿込方向へ移動させる移動機構部と、を備えたことを特徴とするカットアウト接続器具。
【請求項２】
前記移動機構部は、前記端子保持部を前記挿込方向へ回動させる回動体を備えたことを特徴とする請求項１に記載のカットアウト接続器具。
【請求項３】
前記移動機構部は、前記一対の端子挿込口に対して前記挿込方向に沿って配置可能にする軌条と、前記軌条に沿って移動自在に設けられ且つ前記端子保持部が取付けられる移動体とを備えたことを特徴とする請求項１に記載のカットアウト接続器具。
【請求項４】
前記移動機構部は、前記端子保持部を前記電気配線取付部に対して移動させることを特徴とする請求項１乃至３のいずれか１項に記載のカットアウト接続器具。
【請求項５】
前記一対の端子挿込口に対して前記一対の課電端子を挿し込み可能な位置に前記端子保持部を位置決めする位置決め部を備えたことを特徴とする請求項１乃至４のいずれか１項に記載のカットアウト接続器具。
【発明の詳細な説明】
【技術分野】
【０００１】
本発明は、カットアウトの端子挿込口に、事故点探査装置を電気接続するための課電端子を挿し込むためのカットアウト接続器具に関する。
【背景技術】
【０００２】
一般的に電柱には、高圧配電線にかかる高圧を低圧に変換する柱上変圧器が敷設され、該柱上変圧器を保護するカットアウトが腕金を介して電柱に配置されている。
【０００３】
ところで、地絡事故が発生すると、地絡事故発生点を、カットアウトを利用して特定する事故点探査装置が用いられる。この事故点探査装置は、絶縁操作棒の先端に一対の課電端子が取付けられ、絶縁操作棒を操作してカットアウトへアプローチして、前記一対の課電端子がカットアウトの本体内に配置された一対の端子挿込口に挿し込まれ、カットアウトに対して電気接続される。具体的には、地絡事故が発生すると、図９に示すように、作業者Ｘは、事故点探査装置Ｓを用いて地絡事故発生点を探査する。このとき、作業者Ｘは、絶縁操作棒Ｂを把持し、電柱Ｐに昇柱した状態で課電端子ＤのカットアウトＣへのアプローチを斜め下方から行う。しかし、カットアウトＣは、腕金Ａなどに取り付けられており、腕金Ａが障害物となる。また、昨今では、柱上変圧器Ｔの上側に腕金Ａが取付けられている場合もあり、この場合では、柱上変圧器Ｔを超えてカットアウトＣへアプローチしなければならない。
【０００４】
上記問題を解消すべく、例えば、図１０に示すようなカットアウト接続器具が提案されている。このカットアウト接続器具１００は、課電端子のうちの一方の端子としての固定側端子１０２が突設された固定側基板１０１と、該固定側基板１０１に対し回動可能に連結され他方の端子としての可動側端子１０４が突設された可動側基板１０３とを備える。
【０００５】
上記構成のカットアウト接続器具１００によれば、課電端子をカットアウトＣに接続する場合、作業者は、カットアウトＣのカバーＣ０を開放し、絶縁操作棒Ｂ１の先端に固定側基板１０１を取付け、カットアウトＣに対し下方から絶縁操作棒Ｂ１を介してアプローチし、固定側基板１０１の固定側端子１０２をカットアウトＣの一方の接続端子Ｃ１に接続した後、可動側基板１０３を別の絶縁操作棒Ｂ２で回動操作し、可動側基板１０３の可動側端子１０４をカットアウトＣの他方の接続端子Ｃ２に接続する。
【先行技術文献】
【特許文献】
【０００６】
【特許文献１】特開２０１２−３４５０４号公報
【発明の概要】
【発明が解決しようとする課題】
【０００７】
しかしながら、前記従来のカットアウト接続器具１００では、作業者は、カットアウトＣの一方の接続端子Ｃ１に固定側基板１０１の固定側端子１０２を接続した後、可動側基板１０３を操作して他方の接続端子Ｃ２に可動側端子１０４を接続する必要があり、その分手間がかかる。
【０００８】
そこで、本発明は、カットアウトの端子挿込口に対し事故点探査装置を電気接続するための課電端子を容易に接続できるカットアウト接続器具を提供することを目的とする。
【課題を解決するための手段】
【０００９】
本発明のカットアウト接続器具は、箱型カットアウトの本体内に配置された一対の端子挿込口に挿し込まれる一対の課電端子を保持する端子保持部と、前記カットアウトを介して事故点を探査する事故点探査装置の装置本体を前記カットアウトに電気接続すべく、前記一対の課電端子に電気接続される電気配線部を取付ける電気配線取付部と、前記端子保持部を、前記一対の課電端子が前記一対の端子挿込口に挿し込まれる挿込方向へ移動させる移動機構部と、を備えたことを特徴とする。
【００１０】
上記構成を備えたカットアウト接続器具では、作業者は、例えば、絶縁操作棒の先端に該カットアウト接続器具を取付け、電気配線取付部に、カットアウトと事故点探査装置の装置本体を電気接続する電気配線部を接続した状態で、絶縁操作棒を操作してカットアウトに対してカットアウト接続器具を近付け、移動機構部によって、端子保持部を挿込方向に沿って移動させることで、該端子保持部に保持している一対の課電端子を一対の端子挿込口に挿し込むことができる。移動機構部を移動操作するだけで、一対の課電端子を一対の端子挿込口に挿し込んで事故点探査装置をカットアウトに接続できる。
【００１１】
本発明において、前記移動機構部は、前記端子保持部を前記挿込方向へ回動させる回動体を備えた構成を採用することができる。
【００１２】
上記構成を備えたカットアウト接続器具では、作業者は、端子保持部の回動前に、端子挿込口や課電端子の状態を確認した上で、端子保持部を回動させて一対の課電端子をカットアウトの一対の端子挿込口に容易に接続できる。
【００１３】
本発明において、前記移動機構部は、前記一対の端子挿込口に対して前記挿込方向に沿って配置可能にする軌条と、前記軌条に沿って移動自在に設けられ且つ前記端子保持部が取付けられる移動体とを備えた構成を採用することができる。
【００１４】
上記構成を備えたカットアウト接続器具では、作業者は、移動体を軌条に沿って移動させることで、挿込方向に沿ってずれなく一対の課電端子を一対の端子挿込口に挿し込むことができる。
【００１５】
本発明において、前記移動機構部は、前記端子保持部を前記電気配線取付部に対して移動させる構成を採用することができる。
【００１６】
上記構成を備えたカットアウト接続器具では、例えば、電気配線取付部をカットアウトに対して所定位置に配置固定した状態で、端子保持部を移動させて一対の課電端子を一対の端子挿込口に挿込みできるので、電気配線部に過度な負荷がかかるのを抑制できる。
【００１７】
本発明において、前記一対の端子挿込口に対して前記一対の課電端子を挿し込み可能な位置に前記端子保持部を位置決めする位置決め部を備えた構成を採用することができる。
【００１８】
上記構成を備えたカットアウト接続器具では、位置決め部によって端子保持部を位置決めすることで、カットアウトの一対の端子挿込口に対して挿込み可能な位置に一対の課電端子を位置決めできる。よって、一対の課電端子を一対の端子挿込口に容易に挿し込み作業できる。
【発明の効果】
【００１９】
本発明に係るカットアウト接続器具は、カットアウトの端子挿込口に対し事故点探査装置を電気接続するための課電端子を容易に接続できる。
【図面の簡単な説明】
【００２０】
【図１】図１は、本発明の一実施形態に係るカットアウト接続器具を示す斜視図。
【図２】図２（ａ）は、カバーが閉じられた状態のカットアウトを示す側面図、図２（ｂ）は、カバーが開放された状態のカットアウトを示す側面図、図２（ｃ）は、図２（ｂ）の斜視図。
【図３】図３は、事故点探査装置を示す図。
【図４】図４は、本発明の他の実施形態に係るカットアウト接続器具であり、カットアウトに対する位置決め部を付加したカットアウト接続器具を示す図。
【図５】図５は、図４のカットアウト接続器具をカットアウトにアプローチする状態を示す図。
【図６】図６は、課電端子をカットアウトの各端子に接続する状態を示す図。
【図７】図７は、本発明の他の実施形態に係るカットアウト接続器具であり、課電端子を直線移動させる移動機構を備えたカットアウト接続器具を示す図。
【図８】図８（ａ）は、図７のカットアウト接続器具の移動体を示す正面図、図８（ｂ）は、図８（ａ）の側面図。
【図９】図９は、カットアウトに課電端子を接続する場合の従来の作業を示す図。
【図１０】図１０は、従来のカットアウト接続器具を示す図。
【発明を実施するための形態】
【００２１】
本発明の一実施形態に係るカットアウト接続器具について図面を参照しつつ説明する。はじめに、カットアウト接続器具が接続される箱型カットアウトの構成と、該箱型カットアウトにカットアウト接続器具を介して接続されることで、地絡事故の発生点を特定する事故点探査装置の構成と、カットアウト接続器を操作する際に使用するバインド打器の構成とについて順次説明する。
【００２２】
図２（ａ）〜（ｃ）に示すように、箱型カットアウト１は、カットアウト本体１０と、後述するカットアウト本体１０の前面開口部１０ａを開閉するカバー１１とを備える。カットアウト本体１０は、縦向きに且つ一面を地面側に位置させるよう斜め下方に向けて腕金に配置されており、前記一面を前面とし、該前面を中心にして、カットアウト本体１０の上側を上面、下側を下面、前面を挟んだ両側を側面とする。
【００２３】
カットアウト本体１０は、前面に開口（前面開口部）１０ａを有する略直方体からなる箱体であり、その下面は切欠かれて開口（下面開口部）され、該下面開口部１０ｂは、前面開口部１０ａに連通している。両側面１０ｃ，１０ｃの下端部には、その長手方向に沿ってカバー１１を回動支持するための一対の支持片１０ｄ，１０ｄが延設されている。
【００２４】
カットアウト本体１０の内部には、一次側端子１２及び二次側端子１３が上下に並設される。該各端子１２，１３は、後述するヒューズ１５の一対の導電刃１５１,１５１が挿し込まれる端子挿込口１２ａ，１３ａと、該端子挿込口１２ａ，１３ａから奥行き方向に向かって形成される導電刃収容部１２ｂ，１３ｂとを有し、該一対の導電刃１５１，１５１が端子挿込口１２ａ，１３ａに挿込まれて導電刃収容部１２ｂ，１３ｂに収容されることで、一次側電線Ｙと二次側電線Ｚとが電気接続される。
【００２５】
カバー１１は、カットアウト本体１０の前面開口部１０ａを開閉可能な大きさを有する矩形状の略平板であり、カバー１１の基端部は、カットアウト本体１０の一対の支持片１０ｄ，１０ｄ間（下面開口部１０ｂ）に配置され、カバー１１は、一対の支持片１０ｄ，１０ｄに貫設された支軸１４により回動支持され、前面開口部１０ａに対し略１２０°に開く。カバー１１の内面には、地絡事故が発生した場合に柱上変圧器を保護するためのヒューズ１５が着脱可能に取付けられる。
【００２６】
ヒューズ１５は、カバー１１の内面に、カバー１１の延びる方向に沿うよう取付けられた筒状のヒューズ本体１５０と、該ヒューズ本体１５０に対し径方向外方に向かって突設され且つ軸方向に所定の間隔を置いて平行配置された一対の導電刃１５１，１５１を備える。一対の導電刃１５１，１５１は、平板状で、カバー１１の内面に対し直交方向に突設され、カバー１１の基端部を回動支点にして回動軌跡を描いて、カットアウト１の各端子挿込口１２ａ，１３ａに対し挿脱される。
【００２７】
つぎに事故点探査装置について説明する。図３に示すように、事故点探査装置２は、前記カットアウト１に対し電気接続するための端子部２０と、カットアウト１に対する端子部２０の接続を、絶縁操作棒を用いて操作する操作部２１と、カットアウト１へ端子部２０を通して電源を供給する装置本体２２と、装置本体２２と操作部２１とを電気接続する配線部２３とを備える。なお、本実施形態では、操作部２１と配線部２３とで、事故点探査装置２の装置本体２２をカットアウト１に電気接続すべく、一対の課電端子２０１，２０２に電気接続される電気配線部２４を形成している。
【００２８】
端子部２０は、カットアウト１の各端子１２，１３を導通接続するコ字状の端子本体２００を備える。操作部２１は、絶縁性を有する略棒状のケーブル端子２１０を備える。装置本体２２は、カットアウト１の各端子１２，１３に端子部２０を介して直流パルス電圧を供給する直流電源２２０に電気接続される。配線部２３は、端子部２０に電気接続されるケーブル２３１および該ケ−ブル２３１が巻回されたケーブル巻取部（ドラム）２３０を備える。
【００２９】
端子本体２００は、カットアウト１の一次側端子１２の端子挿込口１２ａに挿し込まれる一方の課電端子２０１と、二次側端子１３の端子挿込口１３ａに接続される他方の課電端子２０２と、カットアウト１の両端子１２，１３に電気接続できるよう、該両端子１２，１３間の距離と同一長さを有し各課電端子２０１，２０２を電気接続する導通体２０３とを備える。課電端子２０１，２０２は、導通体２０３に対し直交方向に配置され且つ導通体２０３の端部から外方に向かって延出され、二つの課電端子２０１，２０２は平行配置されている。導通体２０３の中央部には、後述するカットアウト接続器具４の挿込姿勢保持部４２５に接続される端子接続部２０４が、課電端子２０１，２０２の延出方向とは逆方向に突設される。本実施形態では、端子接続部２０４は雄ねじである。
【００３０】
ケーブル端子２１０の先端部には、後述するカットアウト接続器具４の連結台４３０を接続するための器具接続部２１１と、基端部に絶縁操作棒が接続される操作棒接続部２１２とを備える。本実施形態では、器具接続部２１１は雌ねじである。
【００３１】
図１に示すように、バインド打器３は、絶縁操作棒３０と、該絶縁操作棒３０の先端部に取付けられた略Ｖ字状のフック３１とを備える。このバインド打器３は、碍子に配電線を固定する際、碍子と配電線とにバインド線を巻付けるのに使用する器具である。本実施形態では、バインド打器３は、後述するカットアウト接続器具４の回動体４２１を回動操作する際に使用する。
【００３２】
つぎに本実施形態に係るカットアウト接続器具について説明する。図１に示すように、カットアウト接続器具４は、カットアウト本体１０内に配置された一対の端子挿込口１２ａ，１３ａに挿し込まれる一対の課電端子２０１，２０２を保持する端子保持部４０と、カットアウト１を介して事故点を探査する事故点探査装置２の装置本体２２をカットアウト１に電気接続すべく、一対の課電端子２０１，２０２に電気接続される電気配線部２４を取付ける電気配線取付部４１と、端子保持部４０を、一対の課電端子２０１，２０２が一対の端子挿込口１２ａ，１３ａに挿し込まれる挿込方向へ移動させる移動機構部４２とを備える。
【００３３】
カットアウト接続器具４は、電気配線取付部４１と移動機構部４２とを連結する連結部４３を備える。該連結部４３は、直方体形状の連結台４３０を備え、該連結台４３０は、前面４３０ａ、上面４３０ｂ、下面４３０ｃ、左右の両側面４３０ｄ，４３０ｄ、背面４３０ｅを有する。
【００３４】
連結台４３０の前面４３０ａには、後述する移動機構部４２の回動体４２１を回動支持するための切欠き４３１が形成されている。該切欠き４３１には、後述する回動体４２１の回動支点連結部４２３が遊挿され、一方の側面４３０ｄから回動支点連結部４２３を通って他方の側面４３０ｄに回動軸４２０が貫通している。回動軸４２０が両側面４３０ｄ，４３０ｄに対し回動自在に支持されることで、回動体４２１が上下方向に回動する。連結台４３０の下面４３０ｃには、ケーブル端子２１０の器具接続部２１１（雌ねじ）が接続可能な前記電気配線取付部４１が突設されている。該電気配線取付部４１は雄ねじである。
【００３５】
移動機構部４２は、連結台４３０の両側面４３０ｄ、４３０ｄに貫設された回動軸４２０と、該回動軸４２０を回動支点にして課電端子２０１，２０２を挿込方向に沿って回動させる回動体４２１とを備える。本実施形態では、回動軸４２０は、カットアウト１に装着時、カバー１１の支軸１４の回転中心線の延長線上に位置する。課電端子２０１，２０２の挿込方向は、カバー１１の閉方向の回動によって描かれるヒューズ１５の一対の導電刃１５１，１５１の回動軌跡と略同じ回動軌跡となる。
【００３６】
回動体４２１は、回動軸４２０に連結される回動支点連結部４２３と、課電端子２０１，２０２の回動起点を位置決めする回動起点位置決め部４２４と、カットアウトの各端子挿込口１２ａ，１３ａに対する課電端子２０１，２０２の挿込姿勢を保持する挿込姿勢保持部４２５とを備える。
【００３７】
回動支点連結部４２３の一端部は、連結台４３０の回動軸４２０に連結され、他端部は、カットアウト本体１０の一方の側面１０ｃを前面側に向かって斜め下方に延びる。
【００３８】
回動起点位置決め部４２４は、回動支点連結部４２３の他端部から直交方向に折曲げられてカットアウト本体１０の前面開口部１０ａの一方側から他方側に向かって延びる。
【００３９】
挿込姿勢保持部４２５は、回動起点位置決め部４２４の端部から直交方向に延びる。具体的に、ヒューズ１５の一対の導電刃１５１，１５１の上方において、課電端子２０１，２０２の回動軌跡の回転中心（カバー１１の回転中心）を通る直線に直交する方向に沿って延びる。
【００４０】
挿込姿勢保持部４２５の上面には、課電端子２０１，２０２の端子接続部２０４が接続される前記端子保持部４０が突設され、下面には、回動体４２１を手動で回動させるためのバインド打器３のフック３１が引っ掛けられる係止リング４２８が設けられている。
【００４１】
カットアウト接続器具４は、回動体４２１の回動を、回動起点となる位置で規制する位置規制部４４を備える。該位置規制部４４は、連結台４３０の両側面４３０ｄ，４３０ｄに貫設され杆状のストッパ４４０である。ストッパ４４０には、回動支点連結部４２３の下面が回動体４２１の自重により当接し、挿込姿勢保持部４２５が回動起点の位置に停止している。なお、カットアウト接続器具４は、電気配線取付部４１に取付けた電気配線部と２４と、端子保持部４０に保持された課電端子２０１，２０２とが電気接続されるように構成されている。なお、カットアウト接続器具４は、電気接続回路が外部に露出しないように、絶縁被覆してもよい。
【００４２】
つぎにカットアウト接続器具４の使用方法について説明する。はじめに、作業者は、図３に示す絶縁操作棒の先端部にケーブル端子２１０を接続し、事故点探査装置２のケーブル端子２１０の器具接続部２１１（雌ねじ）に、カットアウト接続器具４の電気配線取付部４１（雄ねじ）を螺合させ、カットアウト接続器具４の挿込姿勢保持部４２５の端子保持部４０（雌ねじ）に、課電端子２０１，２０２の端子接続部２０４（雄ねじ）を螺合させ、絶縁操作棒、ケーブル端子２１０（電気配線部２４）、カットアウト接続器具４、課電端子２０１，２０２を一体化させる。
【００４３】
この際、絶縁操作棒は作業者によって上下方向に支持されており、連結台４３０は、絶縁操作棒、ケーブル端子２１０を介して回動軸４２０が水平となるように上方位置で支持され、回動体４２１の回動支点連結部４２３の下面にストッパ４４０が当接し、挿込姿勢保持部４２５が回動起点の位置に停止した状態になっている。
【００４４】
つぎに作業者は、カットアウト１のカバー１１を開方向に回動させ、カットアウト１の各端子１２，１３からヒューズ１５の一対の導電刃１５１，１５１を引き抜いた状態（図２（ｂ），（ｃ）の状態）にする。
【００４５】
つぎに作業者は、カットアウト１に対しカットアウト接続器具４を絶縁操作棒を操作してアプローチする。具体的に、カットアウト本体１０とカバー１１との間に、カットアウト接続器具４の回動起点位置決め部４２４を横方向に挿入配置し、カットアウト本体１０の側方に、カットアウト接続器具４の連結台４３０を近接させ、該連結台４３０をケーブル端子２１０を介して絶縁操作棒で水平支持する。この状態で、電気配線取付部４１は、カットアウト本体１０の側方に位置して電気配線取付部４１が下方へ延びる。また、端子保持部４０は、カットアウト本体１０の前方に位置し、課電端子２０１，２０２が端子挿入口１２ａ，１３ａの方へ移動可能な状態となる。また、移動機構部４２の回動体４２１の回動中心（回動軸４２０）は、カットアウト本体１０の側方で、且つ端子挿込口１２ａ，１３ａの下方の領域に配置される。本実施形態では、回動軸４２０は、支軸１４と同軸状に横並びになる。すなわち、カットアウト接続器具４は、電気配線取付部４１がカットアウト本体１０の側方に位置し、端子保持部４０がカットアウト本体１０の前方に位置した状態で、端子保持部４０が端子挿込口１２ａ，１３ａの方へ近付くように移動機構部４２で移動するよう構成されている。
【００４６】
つぎに作業者は、移動機構部４２を介して、端子保持部４０を一対の課電端子２０１，２０２が一対の端子挿込口１２ａ，１３ａに挿し込まれるように移動させる。具体的には、作業者は、挿込姿勢保持部４２５の係止リング４２８に、バインド打器３のフック３１を引っ掛けて、回動体４２１を回動軸４２０を回動中心にして閉方向（挿込方向）に沿って回動させ、一対の課電端子２０１，２０２をカットアウト１の各端子１２，１３に挿込み、一対の課電端子２０１，２０２とカットアウト１の各端子１２，１３とを電気接続する。
【００４７】
つぎに作業者は、挿込姿勢保持部４２５の係止リング４２８からバインド打器３のフック３１を取外し、ケーブル端子２１０から絶縁操作棒を取外し、事故点探査装置２による探査作業を行う。
【００４８】
探査作業終了後にカットアウト１からカットアウト接続器具４を取外す場合、作業者は、ケーブル端子２１０に絶縁操作棒を接続し、係止リング４２８にバインド打器３のフック３１を引っ掛けて、回動体４２１の挿込姿勢保持部４２５を開方向（カットアウト１から離間する方向）に回動させる。
【００４９】
これにより、カットアウト１の各端子１２，１３から、課電端子２０１，２０２が引き抜かれる。すなわち、カットアウト接続器具４から課電端子２０１，２０２が取外され、カットアウト１の各端子１２，１３が開放された状態になる。
【００５０】
つぎに作業者は、カットアウト１のカバー１１を閉方向に回動させ、カットアウト１の前面開口部１０ａを閉塞する。この際、カットアウト１の各端子１２，１３には、ヒューズ１５の一対の導電刃１５１，１５１が挿込まれ、カットアウト１の各端子１２，１３とヒューズ１５とが電気接続される。
【００５１】
このように、本実施形態では、電気配線取付部４１に電気配線部２４を取付け、端子保持部４０に、課電端子２０１，２０２を保持した状態で、移動機構部４２を介して課電端子２０１，２０２が端子挿込口１２ａ，１３ａに挿し込まれる方向に端子保持部４０を移動させることができるので、カットアウト１の各端子１２，１３に対し事故点探査装置２の課電端子２０１，２０２を容易に接続できる。また、前記カットアウト接続器具４は、電気配線取付部４１をカットアウト１に対して所定位置に配置保持した状態で、該電気配線取付部４１に対して端子保持部４０を移動させて一対の課電端子２０１，２０２を一対の端子挿込口１２ａ，１３ａに挿込みできるので、電気配線部２４（特に、ケーブル２３１）に過度な負荷がかかるのを抑制できる。
【００５２】
また、移動機構部４２は、端子保持部４０を挿込方向へ回動させる回動体４２１を備えるので、回動前に、カットアウト本体１０の内部をよく目視確認した上で、課電端子２０１，２０２を端子挿込口１２ａ，１３ａに向けて移動させることができる。
【００５３】
なお、本発明は、前記実施形態に限定されるものではなく、種々変更することができる。
【００５４】
例えば、本実施形態では、カットアウト接続器具４を使用する際に、連結部４３をカットアウト本体１０の側方に配置保持すべく、絶縁操作棒で保持する場合について説明した。しかしながら、図４に示すように、一対の端子挿込口１２ａ，１３ａに対して一対の課電端子２０１，２０２を挿込み可能な位置に端子保持部４０を位置決めする位置決め部５０を備えたカットアウト接続器具５であってもよい。該位置決め部５０は、断面逆Ｌ字形状の位置決め体５００を備える。位置決め体５００は、カットアウト１の側面１０ｃと対向する連結台４３０の側面４３０ｄ側に配置される上面当接部５０１であって、カットアウト本体１０の上面１０ｅに当接される上面当接部５０１と、上面当接部５０１に対し直交方向に下方に向けて延びる側面当接部５０２であって、カットアウト本体１０の側面１０ｃに沿って当接される側面当接部５０２とを備える。
【００５５】
上記構成のカットアウト接続器具５では、カットアウト１にカットアウト接続器具５をアプローチする場合、図５に示すように、位置決め部５０の上面当接部５０１をカットアウト本体１０の上面１０ｅに当接させ、側面当接部５０２をカットアウト本体１０の側面１０ｃに沿って当接させる。そうすることで、カットアウト本体１０に対しカットアウト接続器具５を位置決めできる。この位置決め状態で、電気配線取付部４１は、カットアウト本体１０の側方に位置して電気配線取付部４１が下方へ延びる。また、端子保持部４０は、カットアウト本体１０の前方に位置し、課電端子２０１，２０２が端子挿入口１２ａ，１３ａの方へ移動可能な状態となる。また、移動機構部４２の回動中心（回動軸４２０）は、カットアウト本体１０の側方で、且つ端子挿込口１２ａ，１３ａの下方の領域に配置される。本実施形態では、回動軸４２０は、支軸１４と同軸状に横並びになる。すなわち、カットアウト接続器具５は、電気配線取付部４１がカットアウト本体１０の側方に位置し、端子保持部４０がカットアウト本体１０の前方に位置した状態で、端子保持部４０が端子挿込口１２ａ，１３ａの方へ近づくように移動機構部４２で移動するよう構成されている。
【００５６】
この状態から、図６に示すように、回動体４２１をカットアウト１の各端子挿込口１２ａ，１３ａに向かって回動させ、課電端子２０１，２０２をカットアウト１の各端子１２，１３に挿込む。これにより、課電端子２０１，２０２とカットアウト１の各端子１２，１３とが電気接続される。
【００５７】
このように、前記構成のカットアウト接続器具５では、位置決め部５０を設けることで、カットアウト接続器具５をカットアウト本体１０に対して装着でき、しかも、課電端子２０１，２０２を端子挿込口１２ａ，１３ａに挿込可能な位置に位置決めできる。よって、カットアウト１に対するカットアウト接続器具５の接続作業が容易に行える。
【００５８】
また、本実施形態の場合、移動機構部４２として端子保持部４０を回動させる構成を例示した。しかし、カットアウト本体１０の各端子１２，１３に対し一対の課電端子２０１，２０２を直線移動させて接続させる移動機構部６を備えたカットアウト接続器具７が考えられる（図７参照）。
【００５９】
この移動機構部６は、図７および図８に示すように、一対の端子挿込口１２ａ，１３ａに対して挿込方向に沿って配置される軌条６０と、該軌条６０に沿って移動自在に設けられる移動体６１とを備える。この場合の挿込方向は、カットアウト本体１０の各端子１２，１３における導電刃収容部１２ｂ，１３ｂに対する収容方向である。
【００６０】
電気配線取付部６３および移動機構部６は、連結台６２に取付けられる。該連結台６２は、直方体形状で、前面６２ａ、上面６２ｂ、下面６２ｃ、左右の両側面６２ｄ，６２ｄ、背面６２ｅを有する。
【００６１】
カットアウト１の側面１０ｃと対向する連結台６２の側面６２ｄには、前側に傾くように、軌条６０の一端部が固定されている。また、前記側面１０ｃには、上面当接部５０１と、側面当接部５０２とを有する断面逆Ｌ字形状の位置決め体５００が固定されている。連結台６２の下面６２ｃには、電気配線部２４、具体的には、ケーブル端子２１０の器具接続部２１１（雌ねじ）が接続される電気配線取付部６３が突設されている。該電気配線取付部６３は雄ねじである。
【００６２】
軌条６０は、略直線状のレールであり、カットアウト本体１０の前面開口部１０ａに対し直交方向に延びる帯状の軌条本体６００と、該軌条本体６００の両側縁部から立ち上げられた側方ガイド部６０１，６０１と、該各側方ガイド部６０１，６０１の上端から内向きに折曲げられた上方ガイド部６０２，６０２とを備える。軌条本体６００と、側方ガイド部６０１，６０１と、上方ガイド部６０２，６０２とで形成される空間は、後述する台車６１０の車輪６１３，６１３の走行空間となっている。軌条６０の前側の端部（カットアウト１に対して遠い方の端部）は、移動体６１の落下を防止するために閉塞端部６０３となっている。なお、軌条６０は、直線状に形成される場合の他、湾曲して形成してもよい。
【００６３】
移動体６１は、軌条６０を走行する台車６１０と、該台車６１０に立設された移動操作体６１５とを備える。台車６１０は、台車本体６１１と、該台車本体６１１の前後に貫設された二つの車軸６１２，６１２と、台車本体６１１から突出した各車軸６１２，６１２の両端部にそれぞれ取付けられた車輪６１３，６１３とを備える。
【００６４】
移動操作体６１５の上端部の背面６１５ｂ（カットアウト本体１０の前面開口部１０ａに対向する面）には、カットアウト本体１０の端子挿込口１２ａ，１３ａに向かって端子保持部６１６が突設され、移動操作体６１５の上端部の前面６１５ａには、バインド打器３のフック３１を引っ掛ける係止リング６１７が設けられている。
【００６５】
上記構成のカットアウト接続器具７では、はじめに、カットアウト１のカバー１１を開方向に回動させ、カットアウト１の各端子挿込口１２ａ，１３ａからヒューズ１５の一対の導電刃１５１，１５１を引き抜いた状態にしておく。
【００６６】
つぎに作業者は、絶縁操作棒の先端部にケーブル端子２１０を接続し、ケーブル端子２１０の器具接続部２１１（雌ねじ）に、カットアウト接続器具７の電気配線取付部６３（雄ねじ）を螺合させ、カットアウト接続器具７の移動体６１の端子保持部６１６（雌ねじ）に、課電端子２０１，２０２の端子接続部２０４（雄ねじ）を螺合させ、絶縁操作棒、ケーブル端子２１０、カットアウト接続器具７、課電端子２０１，２０２を一体化させる。
【００６７】
この際、絶縁操作棒は作業者によって上下方向に支持されており、連結台６２は、絶縁操作棒、ケーブル端子２１０を介して水平支持される。この状態では、軌条６０が前下がりの傾斜状になるため、軌条６０の閉塞端部６０３（カットアウト１に対して遠い方の端部）に移動体６１が自重で当接し移動起点の位置に停止した状態になっている。
【００６８】
つぎに作業者は、カットアウト１に対しカットアウト接続器具７を絶縁操作棒を介してアプローチする。具体的に、カットアウト本体１０とカバー１１との間に、軌条６０および移動体６１を配置し、カットアウト接続器具７の軌条６０を挿入方向（直線方向）に沿って配置させる。この状態で、カットアウト接続器具７は、位置決め部５０によって、電気配線取付部６３がカットアウト本体１０の側方に位置し、軌条６０がカットアウト本体１０の前方に前方側へ延びるように配置された状態で、カットアウト本体１０に装着される。なお、軌条６０が湾曲している場合には、軌条６０の終端がカットアウト本体１０の前方側に位置して課電端子２０１，２０２が端子挿込口１２ａ，１３ａに挿込可能な配置になる。
【００６９】
つぎに作業者は、移動操作体６１５の係止リング６１７に、図１のバインド打器３のフック３１を引っ掛けて、台車６１０とともに移動操作体６１５を軌条６０に沿ってカットアウト本体１０の各端子挿込口に１２ａ，１３ａ向かって移動させ、各端子挿込口１２ａ，１３ａに課電端子２０１，２０２を電気接続する。
【００７０】
前記構成のカットアウト接続器具７の場合、課電端子２０１，２０２を軌条６０に沿って直線方向に移動させるだけで、カットアウト１の各端子挿込口１２ａ，１３ａに課電端子２０１，２０２を容易に接続できる。
【００７１】
以上説明したように、本発明のカットアウト接続器具４，５，７は、移動機構部４２，６１によって、端子保持部４０，６１６を電気配線取付部４１，６３に対して移動させる構成であるが、端子保持部４０，６１６および電気配線取付部４１，６３を移動させてもよい。
【００７２】
また、本発明のカットアウト接続器具４，５，７では、課電端子２０１，２０２を端子保持部４０，６１６に着脱できる構成を例示した。しかし、課電端子２０１，２０２と端子保持部４０，６１６とを一体化してもよい。
【００７３】
また、本発明のカットアウト接続器具４，５，７の場合、移動機構部４２，６は、係止リング４２８にバインド打器３のフック３１を係止させて操作することで端子保持部４０，６１６を移動させる例示をした。しかし、移動機構部４２，６にハンドルを設け、該ハンドルを例えばヤットコで挟んで操作するようにしてもよい。
【００７４】
また、本発明のカットアウト接続器具４，５，７では、電気配線取付部４１，６３に取付ける電気配線部として、事故点探査装置２の電気配線部２４を用いたが、これに限らず、事故点探査装置２とは別の電気配線部を用いることもできる。
【符号の説明】
【００７５】
１…カットアウト、１０…カットアウト本体、１０ａ…カットアウト本体の前面開口部、１０ｂ…下面開口部、１０ｃ…側面、１０ｄ…支持片、１１…カバー、１２…一次側端子、１３…二次側端子、１２ａ，１３ａ…端子挿込口と、１２ｂ，１３ｂ…導電刃収容部、１４…支軸、１５…ヒューズ、１５０…ヒューズ本体、１５１…導電刃、２…事故点探査装置、２０…端子部、２００…端子本体、２０１，２０２…課電端子、２０３…導通体、２０４…端子接続部、２１…操作部、２１０…ケーブル端子、２１１…器具接続部、２１２…操作棒接続部、２２…装置本体、２３…配線部、２３０…ケーブル巻取部、２３１…ケーブル、２４…電気配線部、３…バインド打器、３０…絶縁操作棒、３１…フック、４，５，７…カットアウト接続器具、４０…端子保持部、４１…電気配線取付部、４２…移動機構部、４２０…回動軸、４２１…回動体、４２３…回動支点連結部、４２４…回動起点位置決め部、４２５…挿込姿勢保持部、４２８…係止リング、４３…連結部、４３０…連結台、４３０ａ…連結台の前面、４３０ｂ…上面、４３０ｃ…下面、４３０ｄ…側面、４３０ｅ…背面、４４…位置規制部、４４０…ストッパ、５０…位置決め部、５００…位置決め体、５０１…上面当接部、５０２…側面当接部、６…移動機構部、６０…軌条、６１…移動体、６２…連結台、６２ａ…連結台の前面、６２ｂ…上面、６２ｃ…下面、６２ｄ…側面、６２ｅ…背面、６００…軌条本体、６０１…側方ガイド部、６０２…上方ガイド部、６０３…閉塞端部、６１０…台車、６１５…移動操作体、６１１…台車本体、６１２…車軸、６１３…車輪、６１５ｂ…移動操作体の上端部の背面、６１６…端子保持部、６１５ａ…移動操作体の上端部の前面、６１７…係止リング、Ａ…腕金、Ｂ，Ｂ１，Ｂ２…絶縁操作棒、Ｓ…事故点探査装置、Ｔ…柱上変圧器、Ｙ…一次側電線、Ｚ…二次側電線
【図１】
2020018086.tif 000003
【図２】
2020018086.tif 000004
【図３】
2020018086.tif 000005
【図４】
2020018086.tif 000006
【図５】
2020018086.tif 000007
【図６】
2020018086.tif 000008
【図７】
2020018086.tif 000009
【図８】
2020018086.tif 000010
【図９】
2020018086.tif 000011
【図１０】
2020018086.tif 000012